(57)【特許請求の範囲】
【請求項１】
絶縁性のボディの裏外面に二本の立壁を平行に突設し、この立壁によって区切られて形成された平行な３本の溝の個々に電源電線である二本の連結部材、及び必要に応じてアース線に接続する同じ幅の連結部材を配線可能に隔離して配置するとともにこの個々の溝内の長手方向の両端から等しい距離の場所に前記連結部材をネジ止めする固着部を設け、この固着部と一体になっている導電部材をボディ内に配置し、それぞれの導電部材に刃受バネＡと刃受バネＢとを隔離して固着し、この刃受バネＡおよび刃受バネＢの先端に対向する位置に差込口が前記ボディの表面に並列して穿設され、必要に応じて前記アース線に接続するアース刃受バネの先端に対向する位置にアース挿入口を前記ボディに備えていることを特徴とするコンセント。
【請求項２】
絶縁性のボディ内に隔離配設している刃受バネＡおよび刃受バネＢの先端に対向する差込口およびアース刃受バネに対向するアース挿入口を前記ボディのカバー表面に備えるユニットを２組配置し、栓刃及びアース刃を有するプラグの２個が差し込み可能とし、各ユニットの刃受バネＡ、刃受バネＢおよびアース刃受バネが前記ボディ内で個々に隔離され、各ユニットの刃受バネＡ，Ａ、刃受バネＢ，Ｂ及び２つのアース刃受バネが前記ボディ内で隔離された導電部材によって連結され、それぞれの導電部材と一体であり、電源電線である二本線およびアース線をネジ止めする固着部が、前記ボディの裏外面に平行に設けた２本の立壁によって区画された３本の溝内の長手方向の両端から等しい距離の場所に隔離配置してなることを特徴とする複式コンセント。
【請求項３】
絶縁性のボディ内に隔離配設している刃受バネＡおよび刃受バネＢの先端に対向する差込口およびアース刃受バネに対向するアース挿入口を前記ボディのカバー表面に備えるユニットを２組配置し、栓刃及びアース刃を有するプラグの２個が差し込み可能とし、各ユニットの刃受バネＡ、刃受バネＢおよびアース刃受バネが前記ボディ内で個々に隔離され、各ユニットの刃受バネＡ，Ａ、刃受バネＢ，Ｂ及び２つのアース刃受バネが前記ボディ内で隔離された導電部材によって連結され、それぞれの導電部材と一体であり、電源電線である二本線およびアース線をネジ止めする固着部が、前記ボディの裏外面に平行に設けた２本の立壁によって区画された３本の溝内の長手方向の両端から等しい距離の場所に隔離配置して形成してなり、この絶縁性ボディの全体を前記差込口、挿入口を露呈する開口部を備えたカバーと底板とからなるプラカバーで被覆し、このプラカバーの両端に電源入力電線及び送り配線する電源出力電線を挿入する挿入口を配置するとともにこのプラカバーを床に仮止めするための取付部をこのプラカバーの端部に備える複式コンセントまたはマルチコンセントからなることを特徴とするＯＡタップ。
【請求項４】
栓刃を備えたプラグを複数差し込み可能な差込口を並列して多数備えたＯＡタップにおいて、
差し込むプラグの栓刃に対峙する刃受バネＡ及び刃受バネＢまたは刃受バネＡ、刃受バネＢ及びアース刃受バネに対向する差込口の一対を絶縁性ボディのカバー表面に２個のプラグが差し込み可能なように並列配置し、これら刃受バネＡ及び刃受バネＢまたは刃受バネＡ、刃受バネＢ及びアース刃受バネのそれぞれを隔離して導電部材に各刃受を２個づつリベット止めして配置し、前記ボディの裏外面に２本の立壁を平行に突設し、この立壁によって区切られた３本の溝内の長手方向の両端から等しい距離の場所に前記各導電部材と一体になっている固着部を各々隔離して設け、この各固着部に電源電線を接続した複式コンセントの複数個を縦長に配列し、連接した複式コンセントの裏面に配置した刃受バネＢの固着部、刃受バネＡの固着部及びアース刃受バネの固着部を夫々に１本の導電板で接続し、これら複式コンセントを連接した状態で全体が前記差込口を露呈する開口部を備えたカバーと底板とからなるプラカバーで被覆し、このプラカバーの両端に電源入力電線及び送り配線する電源出力電線を挿入する挿入口を配置するとともにこのプラカバーを床に仮止めするための取付部を配置して前記ボディのカバー表面に複数個のプラグを差し込み可能にしたことを特徴とするＯＡタップ。
【発明の詳細な説明】
【０００１】
【発明の属する技術分野】
本発明は、栓刃（およびアース刃）を備えたプラグを複数差込可能なコンセントおよびこのコンセントを備えたＯＡタップに関する。
【０００２】
【従来の技術】
従来オフイスなど安定した電源供給を望むところには、安全性、耐久性、強度を考慮して単体としての製品となり得るコンセント製品を使用し、それを複数個それぞれ接続し、それをカバーで覆ったものがＯＡタップとして製品化されている。
しかし、内蔵するコンセントは通常の壁用に使用するものであり、ＯＡタップ用としての専用設計品でないため、組立、配線接続に工数がかかるなど問題があった。例えば、電線接続部がコンセントの両側面に別れてあるために、コンセント同士の組立配線接続において片側づつ行なわざるをえないという問題や、あるいは平刃形、抜止形、引掛形などコンセントの種類によって外形の大きさや電線接続位置が異なり組み立ての作業効率が悪く、或いは接続に使用する接続電線の長さの種類が多くなるなどの問題は、外形の大きさが違うためにコンセントを覆うカバーの大きさ、構造も複雑になり部品点数の増加になっていた。また、コンセントの種類によって電線接続位置が違うことで、それぞれ接続するプラグ付電線の端末加工寸法が代わり、種類も多くなってしまう問題もあった。
【０００３】
市販されている埋込型の複式コンセントにおいてプラスチックボディ内に正負のそれぞれの刃受バネを連接した導電板を内蔵したものが知られているが、この場合は入力電線の末端裸線を差込むための差込孔を多数設けたものであり、電線が抜けないように係止機構を必要とした。
【０００４】
【発明が解決しようとする課題】
従来のコンセントは、今までの室内壁に埋設するコンセントは差込口側または側面にアース刃受の固着部が配置されているためにコンセントの取付作業が面倒であった。例えば、実開昭６３−１８２４８４号公報「マルチタップ・コンセント」にあるように差込口毎に固着部が配置され、多数のねじ止め部が配置してあり、配線が混雑している。実用新案登録第３０７５７６９号公報に記載されるマルチプルコンセントは一本の導電部材から多数の枝片を出して刃受けを構成してあり、専用の導電部材が使用されており、他の製品には応用が出来るものでなかた。その他マルチコンセントとして特開２０００−１７３７１９号公報や実用新案登録第３０７２９４４号公報などに記載されたものも知られている。しかしいずれも単体として知られるが、多数のコンセントユニットを組み合わせ可能な形態ではなかった。
【０００５】
本発明は、平刃形、抜止形、引掛形、平刃形と引掛形の結合形などの異種類のコンセントについて同一外形寸法とし、端子位置も同一にして、組み立てを容易にし、従来の問題点を解決し、複式コンセントからこの複式コンセントを数個連結して、同一部品による組み立てが可能な配線機構を提供するのである。
本発明の課題は、電線接続の端子位置をコンセントの背面（底面）１ヶ所に全て配置し、電線接続組立における工数を削減したコンセントを提供することである。
また、本発明の課題は、電線接続端子位置を背面のほぼ中央に一列に配置することによりコンセント同士の配線接続に使用する接続電線寸法を統一し、それをプレス金具（連結板）に替えることによって、種類を減らすことで問題を解決するコンセントを提供することである。
更に、本発明の課題は、コンセントの種類が変わっても電線接続端子の位置が同じであるからプラグ付電線の端末加工寸法を１種類とするコンセントまたはＯＡタップを提供することである。
【０００６】
本発明の課題は、絶縁性のボディの裏外面に二本の立壁を平行に突設し、この立壁によって区切られて形成された平行な３本の溝の個々に電源電線である二本の連結部材、及び必要に応じてアース線に接続する同じ幅の連結部材を配線可能に隔離して配置するとともにこの個々の溝内の長手方向の両端から等しい距離の場所に前記連結部材をネジ止めする固着部を設け、この固着部と一体になっている導電部材をボディ内に配置し、それぞれの導電部材に刃受バネＡと刃受バネＢとを隔離して固着し、この刃受バネＡおよび刃受バネＢの先端に対向する位置に差込口が前記ボディの表面に並列して穿設され、必要に応じて前記アース線に接続するアース刃受バネの先端に対向する位置にアース挿入口を前記ボディに備えているコンセントの構成によって達成できる。
【０００８】
更に、前記課題は、絶縁性のボディ内に隔離配設している刃受バネＡおよび刃受バネＢの先端に対向する差込口およびアース刃受バネに対向するアース挿入口を前記ボディのカバー表面に備えるユニットを２組配置し、栓刃及びアース刃を有するプラグの２個が差し込み可能とし、各ユニットの刃受バネＡ、刃受バネＢおよびアース刃受バネが前記ボディ内で個々に隔離され、各ユニットの刃受バネＡ，Ａ、刃受バネＢ，Ｂ及び２つのアース刃受バネが前記ボディ内で隔離された導電部材によって連結され、それぞれの導電部材と一体であり、電源電線である二本線およびアース線をネジ止めする固着部が、前記ボディの裏外面に平行に設けた２本の立壁によって区画された３本の溝内の長手方向の両端から等しい距離の場所に隔離配置してなる複式コンセントの構成によって達成できる。
【０００９】
本発明の課題は、絶縁性のボディ内に隔離配設している刃受バネＡおよび刃受バネＢの先端に対向する差込口およびアース刃受バネに対向するアース挿入口を前記ボディのカバー表面に備えるユニットを２組配置し、栓刃及びアース刃を有するプラグの２個が差し込み可能とし、各ユニットの刃受バネＡ、刃受バネＢおよびアース刃受バネが前記ボディ内で個々に隔離され、各ユニットの刃受バネＡ，Ａ、刃受バネＢ，Ｂ及び２つのアース刃受バネが前記ボディ内で隔離された導電部材によって連結され、それぞれの導電部材と一体であり、電源電線である二本線およびアース線をネジ止めする固着部が、前記ボディの裏外面に平行に設けた２本の立壁によって区画された３本の溝内の長手方向の両端から等しい距離の場所に隔離配置して形成してなり、この絶縁性ボディの全体を前記差込口、挿入口を露呈する開口部を備えたカバーと底板とからなるプラカバーで被覆し、このプラカバーの両端に電源入力電線及び送り配線する電源出力電線を挿入する挿入口を配置するとともにこのプラカバーを床に仮止めするための取付部をこのプラカバーの端部に備える複式コンセントまたはマルチコンセントからなるＯＡタップの構成によって達成できる。
【００１０】
本発明の前記課題は、栓刃を備えたプラグを複数差し込み可能な差込口を並列して多数備えたＯＡタップにおいて、差し込むプラグの栓刃に対峙する刃受バネＡ及び刃受バネＢまたは刃受バネＡ、刃受バネＢ及びアース刃受バネに対向する差込口の一対を絶縁性ボディのカバー表面に２個のプラグが差し込み可能なように並列配置し、これら刃受バネＡ及び刃受バネＢまたは刃受バネＡ、刃受バネＢ及びアース刃受バネのそれぞれを隔離して導電部材に各刃受を２個づつリベット止めして配置し、前記ボディの裏外面に２本の立壁を平行に突設し、この立壁によって区切られた３本の溝内の長手方向の両端から等しい距離の場所に前記各導電部材と一体になっている固着部を各々隔離して設け、この各固着部に電源電線を接続した複式コンセントの複数個を縦長に配列し、連接した複式コンセントの裏面に配置した刃受バネＢの固着部、刃受バネＡの固着部及びアース刃受バネの固着部を夫々に１本の導電板で接続し、これら複式コンセントを連接した状態で全体が前記差込口を露呈する開口部を備えたカバーと底板とからなるプラカバーで被覆し、このプラカバーの両端に電源入力電線及び送り配線する電源出力電線を挿入する挿入口を配置するとともにこのプラカバーを床に仮止めするための取付部を配置して前記ボディのカバー表面に複数個のプラグを差し込み可能にしたＯＡタップの構成によって達成できる。
【００１１】
本発明のＯＡタップは、複式コンセントの１個を内蔵するプラカバーまたは複式コンセントを縦長に複数個配列し、これら全体を収納するプラカバー内に電源入力電線からの入力を制御する通電ランプを配置する構成、個々の差込口に対応する全体のプラカバー面の所定位置に単一の通電ランプまたはプラグを差し込む個々の差込部毎に通電ランプ若しくはこのプラカバー内部に電波妨害阻止用、漏電防止用、過剰電流防止用などの安全回路などを配設する構成によっても前記課題は達成できる。
【００１２】
本発明のコンセントは、絶縁性のボディの裏面に配置した電源入力電線の正、負及びアース線や連接するコンセントの導電板、連結板をネジ止めする固着部がボディの裏面に植設した数本の立壁によって隔離形成された溝内に配置されているから、従来の入力電線の末端裸線を挿入するものに比較して電線の固着が確実であるばかりでなく、連接するコンセントの正負の導電板を隔離して配置取り付けが非常に簡易であり、その上同一導電性の連結板を全ての連接部分に使用することができるので煩雑な配線作業が省ける。
この各固着部と一体である導電部材をボディ内に隔離して配置し、それぞれの導電部材に刃受バネＡ及び刃受バネＢが隔離配置してあり、各電線の短絡を防止することができるばかりでなく、ボディ裏面の立壁、二本の立壁によって三本の溝を形成し、即ち仕切り壁によって区画された固着部に電源入力電線、導電板、連結板、送り配線の電源出力電線などを確実に固着することができる。また、アース刃受バネの導電部材と一体に形成してある固着部もボディの裏面に配置することになるのでコンセントの側面などにアース端子を露出させることがなく、組み立てが容易である。
【００１３】
本発明のコンセントは、平刃形、抜け止め形、引掛形、平刃形と引掛形との結合形などのコンセントの全てについて適用可能であり、これらのコンセントの外形寸法は同じに形成することができる。しかも、これらコンセントを連続して接続可能であり、端子の固着部の極性配列を統一している。従って、２組の差込ユニットを備えた２口（複式）コンセントを縦に連接して４口のＯＡタップにも、６口のロングＯＡタップにも同一ユニットによって構成できる。例えば、２口ユニットを縦に並べてこのコンセント全体をプラカバーによって包囲し、一個のＯＡタップとする。このようにいくつものユニット単位で連接できるから単一のユニットの組合わせによって多くのタイプのＯＡタップを製造することができるので廉価に製造することができる。
【００１４】
また、本発明のＯＡタップは、電源入力電線、導電板、連結板、送り配線の電源出力電線などの各固着部の位置はコンセントの中央に位置するからこのコンセントを縦長に数個配列したときに各コンセントの固着部の位置は一定距離で配置されるので同極性の固着部を複数連結するときに同一導電板を取り付けて使用でき、配線やはんだ付けが不要になる。従って、ＯＡタップの製造組立てが簡易である。
【００１５】
【発明の実施の形態】
本発明のコンセントについて実施の形態に基づき図面を参照して詳述する。
図１は本発明に係るコンセントの平刃形の差込口を２口備えた第１の実施形態の平面図、図２は図１の底面図、図３は図１の側面図、図４は図１の部分切欠正面図である。図５は本発明に係るコンセントの抜止形の差込口を２口備えた第２の実施形態の平面図、図６は図５の部分切欠正面図である。図７は本発明に係るコンセントの引掛形の差込口を２口備えた第３の実施形態の平面図である。
図８以下はＯＡタップの実施の形態を示すもので、図８は抜止形の２口ＯＡタップの実施形態を示す平面図、図９は図８の正面図、図１０は図８の底面図、図１１は図８の２口ＯＡタップの内部構造を示すカバーの縦断面図、図１２は図８のプラカバーＢを除去した底面図である。図１３は本発明に係る複式コンセントを２個内蔵した抜止形のＯＡタップの実施形態の平面図、図１４は図１３の正面図、図１５は図１３の内部構造を示すカバーの縦断面図、図１６は図１３のプラカバーＢを除去した状態を示す底面図である。図１７は本発明に係るコンセントを３個内蔵する抜止形ＯＡタップの実施形態の平面図である。
【００１６】
本発明のコンセントを図面に示す２口の実施形態に基づいて説明する。
コンセントの本体１は刃受バネＡ３、刃受バネＢ４及びアース刃受バネ（図示せず）を固着する絶縁性のボディ２と刃受バネＡ３、刃受バネＢ４及びアース刃受バネに対向する位置に差込口５,５を備えた絶縁性のカバー表面６とからなり、これら刃受バネＡ３、刃受バネＢ４及びアース刃受バネはプラグ（図示せず）の栓刃が圧接するように弾性が付与されている（図４参照。）このボディ２には前記刃受バネＡ３、刃受バネＢ４及びアース刃受バネをリベット止する導電部材７,８及びアース導電部材（図示せず）が隔離して埋設してある。この導電部材７,８と一体に形成してある固着部９,１０に電源入力電線などをネジ止めし、固着部９,１０がボディ２の裏面に配設した立壁１１,１１によって区画された部分に隔離して中央に配置してある。この区画された部分にアース導電部材と一体に形成してあるアース線の固着部１２も配置してある。このアース線の固着部１２は安全を期して２ヶ所に配置してある。１３はカバー表面６に設けたプラグのアース挿入口である。
【００１７】
図５、図６及び図７に示す実施形態は、抜止形、引掛形の差込口を備えたコンセントである。
このように構成される本発明のコンセントは、導電部材７，８及びアース導電部材と一体になっているターミナルの固着部９，１０，１２がボディ２の裏面に立壁１１，１１によって隔離されて本体１の長手方向の中央に配置されているから各差込口５への距離が均等になっているので同じ長さの導電性の連結板２２を使用して本体１を連接することが出来る。
【００１８】
図８〜図１２は、本発明に係わるコンセントの抜止形の差込口を２口内蔵したＯＡタップの実施形態である。
開口部２３から挿入される電源入力電線及び他の電源電線（連結板２２、送り配線の電源主力電線）をネジ止めして固着する正負の各固着部９，１０及びアース線の固着部１２が裏面に植設した立壁１１、１１によってそれぞれ隔離配置されている。刃受バネＡ３、刃受バネＢ４、及びアース刃受バネがリベット止めされている導電部材７，８及びアース導電部材が隔離して絶縁性のボディ２の裏面に突設した２本の立壁１１，１１によって形成された溝内に装填してある。絶縁性のボディ２とプラグ（図示せず）の栓刃を差し込む差込口５を有する絶縁性のボディ２のカバー表面６とからなるユニットを２組有するコンセントの本体１は全体がプラカバーＡ１４内に収納される。個々のユニットの差込口５、５・・はカバー表面６から露呈している。このプラカバーＡ１４に嵌合する底のプラカバーＢ１６の外端にはリベット、ボルトなどで仮固定する取付部１５が配置してある。このプラカバーＢ１６にはマグネットなどを埋設できる窪み１７がある。このプラカバーＡ１４、プラカバーＢ１６には電源入力電線（図示せず）及び送り配線する場合の電源出力電線を挿入するための開口部２３が両端に穿設してあるが、電源出力電線が使用されない開口部２３は虫や塵埃などの侵入を防止するために遮蔽板２４を嵌合して閉塞してある。
【００１９】
プラグの栓刃を差し込む差込口５，５・・を備えたコンセントの本体１を内蔵するプラカバーＡ１４とプラカバーＢ１６からなるＯＡタップの両端に張り出して取付部１５が設けられている。この取付部１５には取付孔１５ａと側板１５ｂが設けられている。この側板１５ｂには開孔が設けてある。これによってＯＡタップを壁掛けに仮取付けすることもできる。
【００２０】
図１３に示されるものはプラグを４個差し込むことができる本発明に係わる抜止形４口ＯＡタップの実施例である。
このようにコンセントの差込口を２口有する本体１を長手方向に２組連接することにより、４個のプラグを差し込むことができる。
このプラカバーＡ１４内には２個のユニットを備えるコンセントの本体１を２組を縦長に連接し、これら各ユニットの差込口５，５・・の刃受バネＡ３、刃受バネＢ４及びアース刃受バネを備えたボディ２の他に、電波妨害阻止用、漏電防止用、過剰電流防止用などの安全回路を内蔵するＩＣ回路１８や電源入力電線からの入力を表示する通電ランプ回路１９を内蔵するものである。電源入力電線の先端を固着する入力固着部２０、前記回路のＩＣ回路１８，通電ランプ回路１９からの出力固着部２１が配設してある。これら入力固着部２０，出力固着部２１は前記各ユニットの固着部９，１０，１２と同様に立壁１１，１１によって隔離配置してある。２８は通電ランプである。これら各固着部の対応する固着部、即ち、刃受バネＡ３の固着部９は同極性の固着部９，９毎に導電性の連結板２２がリベット止めされることによって接続してある（図１６参照）。
【００２１】
このように一本の導電性の連結板２２のねじ止めによって各コンセントの固着部９，１０が連結されるので,面倒な配線作業が不要である。しかもボディ２の立壁１１に沿って連結板２２を配置することになるから異極性の連結板２２の短絡が完全に防止できる。
また、アース刃受バネの固着部１２もボディ２の裏面に配置してあるから一連の連結板２２の取り付けで隣接するコンセントを簡易に接続できる。各本体１の固着部がボディ２の長手方向の中央に位置しているから夫々の固着部間の距離は一定である。そのため図面に示されるように２種類の連結板２２のみによって数個のコンセントの本体１を連結することができる。図１６に示されるように複数の本体１を長手方向に連結してマルチＯＡタップを組み立てることができ、複雑な配線やはんだ付け工程がいらない。
【００２２】
本発明のコンセントは、構造が簡易であるから、両端部分に取付金具を取り付けて壁用の埋込用のコンセントとしても利用することもできる。
【００２３】
【発明の効果】
本発明コンセントは、絶縁性のボディの裏面に仕切壁である立壁を植設し、その区切られた溝部内に各極性の導電板（連結板）を配置してあるから相互に短絡するおそれは全く無い。しかも絶縁性ボディ内にそれぞれの極性の端子を隔離配置してあるから漏電の懸念が全くない、安全なコンセントである。しかも、複数のコンセントユニットを連接してＯＡタップを組み立てられるので部品点数が少ない。また、平刃形、抜止形、引掛形、平刃形と引掛形との結合形等のコンセントに共通のボディや部品を使用して組み立て製造できるから、廉価に製造することができる。
【００２４】
更に、コンセント同士の固着部を連結する導電板（連結板、連結部材）は１種類となり、部品管理が簡素化される。しかも、組立作業が裏面の固着部に接続するだけの簡易な作業ができるので作業時間を短縮できる。各種類のコンセントの外形寸法が同一であるから同一外形カバー内に収納する際にスペーサなどの部品を必要としない。
【図面の簡単な説明】
【図１】図１は本発明に係るコンセントの平刃形の差込口を２口備えた第１の実施形態の平面図である。
【図２】図２は図１の底面図である。
【図３】図３は図１の側面図である。
【図４】図４は図１の部分切欠正面図である。
【図５】図５は本発明に係るコンセントの抜止形の差込口を２口備えた第２の実施形態の平面図である。
【図６】図６は図５の部分切欠正面図である。
【図７】図７は本発明に係るコンセントの引掛形の差込口を２口備えた第３の実施形態の平面図である。
【図８】本発明に係るコンセントの抜止形の差込口を２口備えたＯＡタップの実施形態を示す平面図である。
【図９】図８の正面図である。
【図１０】図８の底面図である。
【図１１】図８の２口ＯＡタップの内部構造を示すカバーの縦断面図である。
【図１２】図８のプラカバーＢを除去した底面図である。
【図１３】本発明に係る抜止形複式コンセントを２個内蔵したＯＡタップの実施形態の平面図である。
【図１４】図１３の正面図である。
【図１５】本発明の複式コンセントを２個縦長に配列したＯＡタップの内部機構を示す縦断面図である。
【図１６】図１５のＯＡタップのプラカバーＢを除去した状態の底面図である。
【図１７】本発明に係る複式コンセントを３個内蔵する抜止形６口ＯＡタップの実施形態の平面図である。
ある。
【図１８】本発明に係るコンセントの平刃型差込口を２口備えた壁用埋込コンセントの実施形態で、
（ａ）平面図
（ｂ）正面図
（ｃ）底面図
である。
【符号の説明】
１      本体
２      ボディ
３      刃受バネＡ
４      刃受バネＢ
５      差込口
６      カバー表面
７      導電部材
８      導電部材
９      固着部
１０    固着部
１１    立壁
１２    アース固着部
１３    アース挿入口
１４    プラカバーＡ
１５    取付部
１６    プラカバーＢ
１７    マグネット
１８    ＩＣ回路
１９    通電ランプ回路
２０    入力固着部
２１    出力固着部
２２    連結板
２３    開口部
２４    遮断板
２５    取付金具
２６    ねじ止め
２７    アース極
２８    通電ランプ
【図１】
0003686058.tif 000002
【図２】
0003686058.tif 000003
【図３】
0003686058.tif 000004
【図４】
0003686058.tif 000005
【図５】
0003686058.tif 000006
【図６】
0003686058.tif 000007
【図７】
0003686058.tif 000008
【図８】
0003686058.tif 000009
【図９】
0003686058.tif 000010
【図１０】
0003686058.tif 000011
【図１１】
0003686058.tif 000012
【図１２】
0003686058.tif 000013
【図１３】
0003686058.tif 000014
【図１４】
0003686058.tif 000015
【図１５】
0003686058.tif 000016
【図１６】
0003686058.tif 000017
【図１７】
0003686058.tif 000018
【図１８】
0003686058.tif 000019